(57)【要約】      （修正有）【課題】簡易な構造で、しかもＬＣＤパネルの高精度な位置決め機能とＬＣＤ装置の静電破壊の防止機能、双方の機能を併せ持つＬＣＤ装置およびそのＬＣＤ装置を組み込むことにより組立の簡素化を図れる電子機器を提供すること。【解決手段】カメラ本体に固定された電気配線基板１０１にＬＣＤ組立体１３を載置し、支持片１３３１の孔１３３１ａを利用してネジ１０２により遊びを持ってＬＣＤ組立体１３をカメラ本体に取り付ける。その後、外装カバーを構成する外装カバー１０ａの表示窓１００ａをＬＣＤパネル１３２の周縁に嵌め込み、表示窓１００ａの輪郭により位置決めを行なう。このときにバネ構造を有するアース片を窓１００ａの輪郭で押さえ、アース片をアース面に押接し、静電破壊を防止するためのアースを取る。【選択図】    図３（ｂ）
2004252185.tif 000002
【特許請求の範囲】
【請求項１】
表示窓が設けられた外装カバーを有する電子機器に組み込まれて該表示窓に画像を表示するＬＣＤ装置において、
前記表示窓から表面を覗かせる、画像表示用のＬＣＤパネルと、
前記ＬＣＤパネルを支持する基台と、
前記基台に支持されたＬＣＤパネルを支持するとともに前記基台に固定された導電性のＬＣＤカバーと、
前記電子機器本体に固定され、前記表示窓に対向する領域を含む領域に広がる、一部に電気的なアース面を有し、前記基台、前記ＬＣＤパネル、および前記ＬＣＤカバーからなるＬＣＤ組立体が載置されて該ＬＣＤ組立体を支持する電気配線基板とを備え、
前記ＬＣＤカバーは、前記ＬＣＤ組立体が前記電気配線基板上に載置されたときの該電気配線基板に接する高さに延在する、該ＬＣＤ組立体を該電気配線基板に取り付けるためのネジ孔が設けられた支持片と、該支持片とは別に設けられた該電気配線基板のアース面に弾性的に押接するアース片とを有し、
前記ＬＣＤ組立体が、前記ネジ孔を利用したネジにより前記電気配線基板に遊びを持って取り付けられるとともに、前記外装カバーの表示窓輪郭により位置決めされてなるものであることを特徴とするＬＣＤ装置。
【請求項２】
表示窓が設けられた外装カバーと該表示窓に画像を表示するＬＣＤ装置とを有する電子機器において、
前記ＬＣＤ表示装置が
前記表示窓から表面を覗かせる、画像表示用のＬＣＤパネルと、
前記ＬＣＤパネルを支持する基台と、
前記基台に支持されたＬＣＤパネルを支持するとともに前記基台に固定された導電性のＬＣＤカバーと、
前記電子機器本体に固定され、前記表示窓に対向する領域を含む領域に広がる、一部に電気的なアース面を有し、前記基台、前記ＬＣＤパネル、および前記ＬＣＤカバーからなるＬＣＤ組立体が載置されて該ＬＣＤ組立体を支持する配線用基板とを備え、
前記ＬＣＤカバーは、前記ＬＣＤ組立体が前記電気配線基板上に載置されたときの前記電気配線基板に接する高さに延在する、該電気配線基板に取り付けるためのネジ孔が設けられた支持片と、該支持片とは別に設けられた該基電気配線基板のアース面を弾性的に押接するアース片とを有し、
前記ＬＣＤ組立体が前記ネジ孔を利用したネジにより前記電気配線基板に遊びを持って取り付けられるとともに、前記外装カバーの表示窓輪郭により位置決めされてなるものであることを特徴とする電子機器。
【発明の詳細な説明】
【０００１】
【発明の属する技術分野】
本発明は、表示窓が設けられた外装カバーを有する電子機器に組み込まれてその表示窓に画像を表示するＬＣＤ装置およびそのＬＣＤ装置が組み込まれた電子機器に関する。
【０００２】
【従来の技術】
電子機器には画像を表示するためのＬＣＤ装置が組み込まれたものが多い。このような電子機器にＬＣＤ装置を組み込むときにそのＬＣＤ装置の表示パネルと外装カバーの表示窓とをうまくあわせて表示パネルの取付位置の位置決めを行なう必要がある。そこでこのようなＬＣＤ装置の表示パネルと外装カバーの表示窓との位置あわせを簡単に行なえる位置決め機構が多数提案されている（例えば特許文献１参照）。しかし、特許文献１に記載された技術ではＬＣＤ表示装置の位置決め精度を向上させる工夫は成されているものの、位置決めに係る部品の形状が複雑になり、またプリズムカバーがその位置決め用の機構の構成要素として必要になる。また、表示パネルが表示窓から露出されるため、ＬＣＤ装置が静電気の影響を受け破壊されることがある。これを防止するため、位置決め機構とともに静電破壊防止用のアースをうまく取ってＬＣＤ装置の取付を行なう技術が開示されている（例えば特許文献２参照）。しかし、特許文献２に記載された技術では、静電気対策は万全であるものの、部品点数が多く、組立が複雑になり、高価格化を招くという欠点がある。
【０００３】
【特許文献１】
実開平５−２７７２３号公報
【特許文献２】
特開２００２−２６１４５６号公報
【０００４】
【発明が解決しようとする課題】
本発明は、上記事情に鑑み、簡易な構造で、しかもＬＣＤパネルの高精度な位置決め機能とＬＣＤ装置の静電破壊の防止機能とを併せ持つＬＣＤ装置およびそのＬＣＤ装置を組み込むことにより組立の簡素化を図れる電子機器を提供することを目的とする。
【０００５】
【課題を解決するための手段】
上記目的を達成する本発明のＬＣＤ装置は、表示窓が設けられた外装カバーを有する電子機器に組み込まれてその表示窓に画像を表示するＬＣＤ装置において、
上記表示窓から表面を覗かせる、画像表示用のＬＣＤパネルと、
上記ＬＣＤパネルを支持する基台と、
上記基台に支持されたＬＣＤパネルを支持するとともに前記基台に固定された導電性のＬＣＤカバーと、
上記電子機器本体に固定され、上記表示窓に対向する領域を含む領域に広がる、一部に電気的なアース面を有し、上記基台、上記ＬＣＤパネル、および上記ＬＣＤカバーからなるＬＣＤ組立体が載置されてそのＬＣＤ組立体を支持する電気配線基板とを備え、
上記ＬＣＤカバーは、上記ＬＣＤ組立体が上記電気配線基板上に載置されたときのその電気配線基板に接する高さに延在する、そのＬＣＤ組立体をその電気配線基板に取り付けるためのネジ孔が設けられた支持片と、その支持片とは別に設けられたその電気配線基板のアース面に弾性的に押接するアース片とを有し、
上記ＬＣＤ組立体が上記ネジ孔を利用したネジにより上記電気配線基板に遊びを持って取り付けられるとともに、上記外装カバーの表示窓輪郭により位置決めされてなるものであることを特徴とする。
【０００６】
上記本発明のＬＣＤ装置によれば、上記導電性のＬＣＤカバーの上記アース片を上記電気配線基板のアース面に押接することにより上記ＬＣＤパネルの静電破壊の防止を行なえるととともに、上記ＬＣＤカバーの上記支持片の孔を利用して遊びを持ってネジでＬＣＤ組立体を上記電気配線基板に取り付けることにより、その遊び分、外装カバーの動きに応じてＬＣＤ組立体の取付位置を調整することができ、表示パネルの位置決めを簡単に行なえる。
【０００７】
このようにＬＣＤカバーに上記支持片と上記アース片とを別々に設けるという簡易な構造で、ＬＣＤ装置の高精度な位置決め機能とＬＣＤ装置の静電破壊の防止機能とを併せ持つＬＣＤ装置を提供することができる。
【０００８】
このＬＣＤ装置を電子機器に適用する場合には、
表示窓が設けられた外装カバーとその表示窓に画像を表示するＬＣＤ装置とを有する電子機器において、
上記ＬＣＤ表示装置が
上記表示窓から表面を覗かせる、画像表示用のＬＣＤパネルと、
上記ＬＣＤパネルを支持する基台と、
上記基台に支持されたＬＣＤパネルを支持するとともに上記基台に固定された導電性のＬＣＤカバーと、
上記電子機器本体に固定され、上記表示窓に対向する領域を含む領域に広がる、一部に電気的なアース面を有し、上記基台、上記ＬＣＤパネル、および上記ＬＣＤカバーからなるＬＣＤ組立体が載置されてそのＬＣＤ組立体を支持する電気配線基板とを備え、
上記ＬＣＤカバーが、上記ＬＣＤ組立体が上記電気配線基板上に載置されたときの上記電気配線基板に接する高さに延在する、その基板に取り付けるためのネジ孔が設けられた支持片と、その支持片とは別に設けられたその電気配線基板のアース面を弾性的に押接するアース片とを有し、上記ＬＣＤ組立体が上記ネジ孔を利用したネジにより上記電気配線基板に遊びを持って取り付けられるとともに、上記外装カバーの表示窓輪郭により位置決めされてなるものであることを特徴とする。
【０００９】
このように簡易な構造で、しかもＬＣＤパネルの高精度な位置決め機能とＬＣＤ装置の静電破壊の防止機能とを併せ持つＬＣＤ装置を電子機器に適用することにより、電子機器の組立の簡素化を図れ、このＬＣＤ装置が適用された電子機器の低廉価を図れる。
【００１０】
【発明の実施の形態】
以下、本発明の実施形態を説明する。
【００１１】
図１（ａ）は本発明の実施形態であるＬＣＤ装置の一部になるＬＣＤ組立体の構成であり、また図１（ｂ）はＬＣＤ装置の一部になるＬＣＤ組立体が取り付けられる電気配線基板の構成を示す図である。
【００１２】
図１（ａ）にはＬＣＤ組立体を正面から見た正面図が示されている。図１（ａ）に示すようにＬＣＤ組立体１３は、基台１３１とＬＣＤパネル１３２とＬＣＤカバー１３３とからなる。基台１３１はＬＣＤパネル１３２の裏面と側面とを支持する箱状のもので、この基台１３１によりＬＣＤパネル１３２の表面を露出させるよＬＣＤパネル１３２が支持されている。ＬＣＤパネル１３２にはＬＣＤパネル１３２を駆動するＬＣＤ駆動部が裏面側に配備されており、そのＬＣＤ駆動部に信号を供給するための電気配線用の端子がＬＣＤパネル１３２の裏面側に設けられている。そこでこの基台１３１の裏面側にはＬＣＤ駆動部の電気配線用の端子に制御部からのリード線を配線するための穴１３１ａが設けられている。
【００１３】
また、その基台１３１に支持されたＬＣＤパネル１３２周縁をＬＣＤパネル１３２前面から支持するＬＣＤカバー１３３が基台に固定されている。
【００１４】
このように基台と、ＬＣＤパネル１３２と、ＬＣＤカバー１３３とからなるＬＣＤ組立体１３が図１（ｂ）に示す電気配線基板１０１に載置され、取り付けられる。
【００１５】
この電気配線基板１０１は、電子機器本体に固定され、後述する外装カバーの表示窓に対向する領域を含む領域に広がる、一部に電気的なアース面１０１ａを有し、上記基台１３１、上記ＬＣＤパネル１３２、および上記ＬＣＤカバー１３３からなるＬＣＤ組立体１３が載置されてそのＬＣＤ組立体１３を支持するものである。また、この電気配線基板１０１には、取付用の孔１０１ｂも設けられている。この図１（ｂ）には、電気配線基板１０１に載置されたＬＣＤ組立体１３を一点鎖線で示して在る。
【００１６】
ＬＣＤカバー１３３にはこのようにＬＣＤ組立体１３が電気配線基板１０１に載置されたときに、その電気配線基板１０１に接する高さに延在する、ネジ孔１３３１ａの設けられている支持片１３３１と、その支持片１３３１とは別にその電気配線基板１０１のアース面１０１ａを押接するアース片１３３２とがそれぞれ設けられている。このアース片１３３２を電気配線基板１０１のアース面１０１ａに一致させ、さらに支持片１３３１のネジ孔１３３１ａと電気配線基板の取付孔とを一致させてＬＣＤ組立体１３を電気配線基板１０１に載置した後、ネジによってＬＣＤ組立体１３が電気配線基板１０１とともに電子機器本体に取り付けられる。この電気配線基板１０１と、ＬＣＤ組立体１３とでＬＣＤ装置が構成される。
【００１７】
ここで、このＬＣＤ装置１３を電子機器に適用した場合を、デジタルカメラを例に挙げて説明する。
【００１８】
図２（ａ）は本実施形態のデジタルカメラ１０を、斜め前方から見た構成斜視図である。また、図２（ｂ）は本実施形態のデジタルカメラ１０を斜め後ろから見た構成斜視図である。
【００１９】
図２（ａ）に示すようにカメラボディの中央にレンズ鏡胴１１が備えられており、そのレンズ鏡胴の上方にファインダの対物窓１２が設けられている。
【００２０】
このファインダの対物窓１２を通して得られる被写体像をカメラボディ背面にあるファインダの接眼部から覗いて被写体を視認することによりフレーミングを行なうことができる。
【００２１】
また、図２（ｂ）に示すようにカメラボディの背面に図１（ａ）に示したＬＣＤ組立体１３のＬＣＤパネル１３２が配設されており、このＬＣＤパネル１３２にはスルー画像が表示される。したがって、この図２に示すカメラでは、ファインダを用いる代わりに、ＬＣＤパネル１３２を用いてフレーミングを行なうこともできる。
【００２２】
このＬＣＤパネル１３２の横には操作キーとして十字キー１４が設けられており、その十字キー１４にはＵＰキー１４ａ、ＤＯＷＮキー１４ｂ、ＦＦキー１４ｃ、ＲＥＷキー１４ｄの４つのキーがある。また、その十字キー１４の下方には、ＬＣＤパネル１３２にメニューを表示させるためのメニュー釦１５と、そのメニュー釦１５が押されたときにＬＣＤパネル１３２上に表示されるメニュー画面の中の選択項目をこのデジタルカメラに実行させるための決定釦１６と、選択項目を選択しても実行をさせないときに押されるキャンセル釦１７とがある。
【００２３】
さらにカメラボディ上面にはレリーズ釦１８と撮影モード・再生モード切替スイッチ１９が設けられており、この撮影モード・再生モード切替スイッチ１９が撮影側に切り替えられると、撮影モードになってレンズ鏡胴に内蔵された撮影レンズにより被写体が捉えられてＬＣＤパネル１３２上にスルー画像が表示されるとともに撮影操作が行なわれたら撮影操作に応じて得られた画像データが記憶媒体に記憶される。この記憶媒体たとえばメモリカードには写真にして何枚か分の画像データを記憶する容量がある。
【００２４】
また撮影モード・再生モード切替スイッチ１９が再生モードに切り替えられると、メモリカードに記憶されている画像データのいずれかが読み出されてその画像データに基づく画像がＬＣＤパネル１３２に表示される。
【００２５】
このようなカメラのカメラボディは、レリーズ釦などの操作子やＬＣＤパネル１３２などを表面に露出させる外装カバー１０ａにより覆われている。この外装カバー１０ａには、ＬＣＤパネル１３２の表面をユーザに覗かせるための表示窓１００ａが設けられている。
【００２６】
ここで図１（ａ）に示すＬＣＤ組立体が図２（ｂ）に示すデジタルカメラ１０に組み込まれるときの状況を説明する。図３はＬＣＤパネル１３２が外装カバー１０ａの表示窓１００ａに組み込まれるときの構成を示す図である。
【００２７】
図３（ａ）は図２（ｂ）のＡの部分に配設されているアース片１３３２の部分の構成を示す図、図３（ｂ）は図２（ｂ）のＡの部分に配設されている支持片１３２１の部分の構成を示す図である。
【００２８】
図１（ｂ）に示す電気配線基板１０１は、カメラ本体に固定されている。そのカメラ本体に固定されている電気配線基板１０１にＬＣＤ組立体１３が載置され、この電気配線基板１０１にネジによってＬＣＤ組立体１３が取り付けられる。このようにＬＣＤ組立体１３と電気配線基板１０１とからなるＬＣＤ装置が構成された後、ＬＣＤパネル１３２周縁に沿って外装カバー１０ａの表示窓１００ａが嵌め込まれ、ＬＣＤ装置がデジタルカメラ１０に組み込まれる。
【００２９】
まず、電気配線基板１０１にＬＣＤ組立体１３を載置したときの状態を図３（ａ）、図３（ｂ）を参照して説明する。図３（ａ）に示すように電気配線基板１０１のアース面１０１ａにＬＣＤカバー１３３のアース片１３３２が接するようにＬＣＤ組立体１３が載置されている。また図３（ｂ）に示すように支持片１３３１も電気配線基板１０１に接するようにＬＣＤ組立体１３が載置されている。このＬＣＤ組立体１３が載置された状態で支持片の孔１３３１ａを利用したネジ１０２によって遊びを持ってＬＣＤ組立体１３が電気配線基板１０１に取り付けられる。電気配線基板側にもネジ１０２を受け入れる孔１０１ｂが設けられており、その孔１０１ｂと支持片の孔１３３１ａ双方を貫通したネジ１０２によって、電気配線基板の背面側にあるカメラ本体の取付部にＬＣＤ組立体１３が取り付けられる。
【００３０】
このネジ１０２は段付きネジであって、１段目１０２ａの径が相対的に大きく、２段目１０２ｂの径が相対的に小さなものである。したがって段付きネジを双方の孔に貫通させると、段付きのネジ１０２の１段目が支持片１３２１の孔１３２１ａに係合され、段付きネジの２段目は電気配線基板の孔を貫通して電気配線基板背面側にあるカメラ本体の取付部にまで達する。このカメラ本体の取付部にまで達する２段目の部分がカメラ本体に締結され、ＬＣＤ組立体１３がカメラ本体に取り付けられる。このカメラ本体に取り付けられたＬＣＤ組立体１３のＬＣＤカバーが備える支持片１３３１の孔１３３１ａの径は、段付きネジ１０２の一段目１０２ａの径よりも大きいので、ＬＣＤ組立体１３を、遊びを持ってカメラ本体に取り付けることができる。つまり、支持片１３３１の孔１３３１ａの孔径と一段目１０２ａのネジ径の差分、遊びが生じ、ＬＣＤ組立体１３が電気配線基板１０１の片面に沿って移動自在に取り付けられる訳である。
【００３１】
このようにしておくと、ＬＣＤ組立体１３が電気配線基板１０１に取り付けられた後、外装カバー１０ａの表示窓１００ａをＬＣＤパネル１３２の周縁に沿って嵌め込むことにより、つまり外装カバー１０ａの表示窓１００ａの輪郭によりＬＣＤパネル１３２の取付位置の位置決めを行なえる。このように表示窓１００ａの輪郭によりＬＣＤパネル１３２の位置決めが行われた後、外装カバー１０ａの表示窓１００ａの窓枠部分でアース片１３３２を電気配線基板１０１側に深く押し込むことによってそのアース片１３３２が電気配線基板１０１のアース面１０１ａに押接される。
【００３２】
このアース片１３３２は一枚の板が折り曲げられてなる板バネ構造を有しており、外装カバー１０ａの表示窓１００ａの窓枠部分によりアース片１３３２を押し込むことで、外装カバー１０ａ側に向けて反発力を生じさせる。この反発力によりアース片１３３２が弾性的に電気配線基板１０１のアース面１０１ａに押接される。
【００３３】
このように外装カバー１０ａの表示窓１００ａに表示パネル周縁に嵌め込むときに、外装カバー１０ａの表示窓１００ａの輪郭により精度良く位置決めを行なえるとともに、静電破壊の防止機能を果たすためのアース片の取付も一度に行なえる。
【００３４】
以上説明したように、ＬＣＤカバー１３３に支持片１３３１とアース片１３３２とを設け、デジタルカメラの組立時にその支持片１３３１の孔１３３１ａを利用して位置決めを行なうとともに、ＬＣＤパネルの静電破壊を防止するアース片１３３２を電気配線基板１０１のアース面１０１ａに押接するだけで、簡単にこのＬＣＤ装置をデジタルカメラ１０に組み込むことができる。
【００３５】
このようにすることでＬＣＤ装置およびそのＬＣＤ装置が組み込まれるデジタルカメラの組立の簡素化を図れ、ＬＣＤ装置ならびにそのＬＣＤ装置が組み込まれる電子機器の低廉化を図れる。
【００３６】
【発明の効果】
本発明のカメラによれば、簡易な構造で、しかもＬＣＤパネルの高精度な位置決め機能とＬＣＤ装置の静電破壊の防止機能を併せ持つＬＣＤ装置およびそのＬＣＤ装置を組み込むことにより組立の簡素化を図れる電子機器を提供することができる。
【図面の簡単な説明】
【図１（ａ）】本発明の実施形態であるＬＣＤ装置の中のＬＣＤ組立体の構成を示す図である。
【図１（ｂ）】ＬＣＤ装置の中の、ＬＣＤ組立体が取り付けられる電気配線基板の構成を示す図である。
【図２（ａ）】本実施形態のＬＣＤ装置を適用したデジタルカメラ１０の外観を示す構成斜視図である。
【図２（ｂ）】外装カバー１０ａを斜め後ろから見た構成斜視図である。
【図３（ａ）】図２のＡの部分に配設されているアース片１３３２の部分の構成を示す図である。
【図３（ｂ）】図２のＡの部分に配設されている支持片１３３１の部分の構成を示す図である。
【符号の説明】
１０    デジタルカメラ
１０ａ    外装カバー
１００ａ    表示窓
１１    レンズ鏡胴
１２    ファインダの対物窓
１３    ＬＣＤ組立体
１３１    基台
１３２    ＬＣＤパネル
１３３    ＬＣＤカバー
１３３１    支持片
１３３１ａ      孔
１３３２    アース片
１４    十字キー
１４ａ    ＵＰキー
１４ｂ    ＤＯＷＮキー
１４ｃ    ＦＦキー
１４ｄ    ＲＥＷキー
１５    メニュー釦
１６    決定釦
１７    キャンセルキー
１８    レリーズ釦
１９    撮影モード／再生モード切替スイッチ
【図１（ａ）】
2004252185.tif 000003
【図１（ｂ）】
2004252185.tif 000004
【図２（ａ）】
2004252185.tif 000005
【図２（ｂ）】
2004252185.tif 000006
【図３（ａ）】
2004252185.tif 000007
【図３（ｂ）】
2004252185.tif 000008